(57)【要約】【課題】筐体内で発生する騒音の外部への漏れを従来よりも低減することができる画像形成装置を提供する。【解決手段】記録紙に画像を形成するための画像形成手段と、これを内包する筺体と、筺体の内外で通気を行うための通気口２０４ａとを備える画像形成装置において、通気口２０４ａを開閉するルーバー部材２５０と、ルーバー部材２５０を駆動する駆動手段と、少なくとも画像形成手段の画像形成動作が行われているときには通気口２０４ａを閉じた状態でルーバー部材２５０を停止させ、且つ画像形成動作が停止したことに基づいてルーバー部材２５０の開動作を行わせるように駆動手段を制御する制御手段とを設けた。かかる構成では、画像形成動作中にはルーバー部材２５０によって通気口２０４ａを閉じることで、外部への騒音の漏れを低減することができる。【選択図】図８
2008142974.tif 000002
【特許請求の範囲】
【請求項１】
記録体に画像を形成するための画像形成手段と、該画像形成手段を内包する筺体と、該筺体の内外で通気を行うための通気口とを備える画像形成装置において、
上記通気口を開閉する開閉手段と、該開閉手段を駆動する駆動手段と、少なくとも該画像形成手段の画像形成動作が行われているときには上記通気口を閉じた状態で該開閉手段を停止させ、且つ該画像形成動作が停止したことに基づいて該開閉手段の開動作を行わせるように該駆動手段を制御する制御手段とを設けたことを特徴とする画像形成装置。
【請求項２】
請求項１の画像形成装置において、
上記画像形成手段によって一方の面に画像が形成された記録体を受け取った後、該記録体の他方の面に対する画像形成のために該記録体を上下反転せしめて再び該画像形成手段に送り込む反転再給紙手段を設けるとともに、
該反転再給紙手段に向けて記録体を送出した
該画像形成手段による該一方の面に対する画像形成動作が停止したことに基づいて上記開閉部材の開動作を行わせた後、反転再給紙手段から再搬送されてくる該記録体を受け入れる該画像形成手段の画像形成動作が開始される前に該開閉部材の閉動作を行わせる制御を実施するように、上記制御手段を構成したことを特徴とする画像形成装置。
【請求項３】
記録体に画像を形成するための画像形成手段と、該画像形成手段を内包する筺体と、該筺体の内外で通気を行うための通気口とを備える画像形成装置において、
操作者による所定の操作が行われたことを検知する操作検知手段と、上記通気口を開閉する開閉手段と、該開閉手段を駆動する駆動手段と、該操作検知手段による検知結果に基づいて該開閉手段の開閉動作を行わせるように該駆動手段を制御する制御手段とを設けたことを特徴とする画像形成装置。
【請求項４】
請求項１乃至３の何れかの画像形成装置において、
上記画像形成手段として、インクジェット方式のものを用いたことを特徴とする画像形成装置。
【請求項５】
請求項１乃至４の何れかの画像形成装置において、
上記画像形成手段に送るための記録体を複数収容し且つ該筐体に対して着脱可能に構成された着脱式記録体収容器と、該着脱式記録体収容器の着脱操作に連動して、上記筐体内から上記通気口を介した筐体外への排気流、筐体外から該通気口を介した吸気流、あるいは筐体内での気流、を発生させる連動気流発生手段とを設けたことを特徴とする画像形成装置。
【請求項６】
請求項５の画像形成装置において、
上記気流発生手段として、上記画像形成手段の電源に向けて送風するもの、を用いたことを特徴とする画像形成装置。
【請求項７】
請求項１乃至６の何れかの画像形成装置において、
上記開閉手段として、揺動軸を中心にして揺動することで上記通気口を開閉する扁平開閉部材を用いたことを特徴とする画像形成装置。
【請求項８】
請求項７の画像形成装置において、
複数の上記扁平開閉部材を揺動軸線方向と直交する方向に所定のピッチで配設し、互いに隣り合う該扁平開閉部材の端部同士を所定の揺動停止位置で重ね合わせるようにしたことを特徴とする画像形成装置。
【請求項９】
請求項８の画像形成装置において、
複数の上記扁平開閉部材として、それぞれ弾性材料からなるものを用いたことを特徴とする画像形成装置。
【請求項１０】
請求項８の画像形成装置において、
複数の上記扁平開閉部材として、上記端部に緩衝部材が固定されたもの、を用いたことを特徴とする画像形成装置。
【請求項１１】
請求項１乃至６の何れかの画像形成装置において、
上記開閉手段として、上記通気口に対向しつつ該通気口の周縁部に接触して該通気口を閉じる位置と、該通気口に対向しつつ該周縁部から離間して該通気口を開く位置とを往復移動するもの、を用いたことを特徴とする画像形成装置。
【発明の詳細な説明】
【技術分野】
【０００１】
本発明は、筺体の内外で通気を行うための通気口を備える複写機、ファクシミリ、プリンタ等の画像形成装置に関するものである。
【背景技術】
【０００２】
従来、この種の画像形成装置としては、例えば特許文献１に記載のものが知られている。この画像形成装置は、筐体背面の開口に埋め込まれた排気ファンと、この排気ファンの周辺を覆いつつファンによる排気を下方に導くためのダクトとを有している。そして、筐体内の各種機器の駆動によって発生した熱気をダクトの下端に設けられた排気口（通気口）から排出することで、筐体内の過剰な昇温を回避することができる。
【０００３】
しかしながら、この排気口は筐体内と連通しているために、筐体内の機械動作による騒音を外部に漏らしてしまう。家電やオフィス機器の静音化が重要視されるようになった近年においては、このような騒音の漏れをできるだけ少なくすることが重要になってきている。
【０００４】
そこで、特許文献１に記載の画像形成装置においては、ダクト内に吸音材を設けることで、騒音の漏れを低減している。
【０００５】
【特許文献１】特開２００４−２７１９３３号公報
【発明の開示】
【発明が解決しようとする課題】
【０００６】
ところが、吸音材で騒音量を低減したとしても、排気口が筐体内と連通している限り、騒音の漏れを回避することはできない。また、排気口に限らず、外気を筐体内に取り入れるための吸気口など、筐体の内外で通気を行うための通気口であれば、同様にして騒音の漏れが問題になる。
【０００７】
本発明は、以上の背景に鑑みなされたものであり、その目的とするところは、筐体内で発生する騒音の外部への漏れを従来よりも低減することができる画像形成装置を提供することである。
【課題を解決するための手段】
【０００８】
上記目的を達成するために、請求項１の発明は、記録体に画像を形成するための画像形成手段と、該画像形成手段を内包する筺体と、該筺体の内外で通気を行うための通気口とを備える画像形成装置において、上記通気口を開閉する開閉手段と、該開閉手段を駆動する駆動手段と、少なくとも該画像形成手段の画像形成動作が行われているときには上記通気口を閉じた状態で該開閉手段を停止させ、且つ該画像形成動作が停止したことに基づいて該開閉手段の開動作を行わせるように該駆動手段を制御する制御手段とを設けたことを特徴とするものである。
また、請求項２の発明は、請求項１の画像形成装置において、上記画像形成手段によって一方の面に画像が形成された記録体を受け取った後、該記録体の他方の面に対する画像形成のために該記録体を上下反転せしめて再び該画像形成手段に送り込む反転再給紙手段を設けるとともに、該反転再給紙手段に向けて記録体を送出した該画像形成手段による該一方の面に対する画像形成動作が停止したことに基づいて上記開閉部材の開動作を行わせた後、反転再給紙手段から再搬送されてくる該記録体を受け入れる該画像形成手段の画像形成動作が開始される前に該開閉部材の閉動作を行わせる制御を実施するように、上記制御手段を構成したことを特徴とするものである。
また、請求項３の発明は、記録体に画像を形成するための画像形成手段と、該画像形成手段を内包する筺体と、該筺体の内外で通気を行うための通気口とを備える画像形成装置において、操作者による所定の操作が行われたことを検知する操作検知手段と、上記通気口を開閉する開閉手段と、該開閉手段を駆動する駆動手段と、該操作検知手段による検知結果に基づいて該開閉手段の開閉動作を行わせるように該駆動手段を制御する制御手段とを設けたことを特徴とするものである。
また、請求項４の発明は、請求項１乃至３の何れかの画像形成装置において、上記画像形成手段として、インクジェット方式のものを用いたことを特徴とするものである。
また、請求項５の発明は、請求項１乃至４の何れかの画像形成装置において、上記画像形成手段に送るための記録体を複数収容し且つ該筐体に対して着脱可能に構成された着脱式記録体収容器と、該着脱式記録体収容器の着脱操作に連動して、上記筐体内から上記通気口を介した筐体外への排気流、筐体外から該通気口を介した吸気流、あるいは筐体内での気流、を発生させる連動気流発生手段とを設けたことを特徴とするものである。
また、請求項６の発明は、請求項５の画像形成装置において、上記気流発生手段として、上記画像形成手段の電源に向けて送風するもの、を用いたことを特徴とするものである。
また、請求項７の発明は、請求項１乃至６の何れかの画像形成装置において、上記開閉手段として、揺動軸を中心にして揺動することで上記通気口を開閉する扁平開閉部材を用いたことを特徴とするものである。
また、請求項８の発明は、請求項７の画像形成装置において、複数の上記扁平開閉部材を揺動軸線方向と直交する方向に所定のピッチで配設し、互いに隣り合う該扁平開閉部材の端部同士を所定の揺動停止位置で重ね合わせるようにしたことを特徴とするものである。
また、請求項９の発明は、請求項８の画像形成装置において、複数の上記扁平開閉部材として、それぞれ弾性材料からなるものを用いたことを特徴とするものである。
また、請求項１０の発明は、請求項８の画像形成装置において、複数の上記扁平開閉部材として、上記端部に緩衝部材が固定されたもの、を用いたことを特徴とするものである。
また、請求項１１の発明は、請求項１乃至６の何れかの画像形成装置において、上記開閉手段として、上記通気口に対向しつつ該通気口の周縁部に接触して該通気口を閉じる位置と、該通気口に対向しつつ該周縁部から離間して該通気口を開く位置とを往復移動するもの、を用いたことを特徴とするものである。
【発明の効果】
【０００９】
これらの発明において、請求項１の発明特定事項の全てを備えるものでは、画像形成手段の各種機器の駆動によって筐体内で騒音が発生してしまう画像形成動作中に、開閉部材を閉位置で停止させて通気口を閉じる。これにより、通気口を介した筐体内と筐体外との連通を遮断することで、通気口からの騒音の漏れをほぼ解消する。かかる構成では、筐体内で発生する騒音の外部への漏れを従来よりも低減することができる。なお、画像形成動作の停止によって各種機器の動作による騒音が発生しなくなった際には、開閉部材の開動作によって通気口を開くことで、画像形成動作中に筐体内に蓄積してしまった熱を外部に逃がすことが可能である。
【００１０】
また、請求項３の発明特定事項の全てを備えるものでは、保守点検扉の開操作や着脱式給紙カセットの脱操作などといった所定の操作が行われたことに基づいて画像形成動作が停止していることを検知し、この検知結果に基づいて通気口を開くことが可能である。また、保守点検扉の閉操作や着脱式給紙カセットの装着操作などが行われたことに基づいて画像形成動作の開始が起こり得る状態になったことを検知し、この検知結果に基づいて通気口を閉じることが可能である。かかる構成においても、請求項１に係る発明と同様に、筐体内で発生する騒音の外部への漏れを従来よりも低減することができる。
【発明を実施するための最良の形態】
【００１１】
以下、本発明を適用した画像形成装置として、インクジェット方式の複写機の第１実施形態について説明する。
図１は第１実施形態に係る複写機を正面から示す概略構成図である。同図において、複写機１は、原稿の画像を読み取るための画像読取部（スキャナ部）１１を有している。この画像読取部１１は、照明光源１３とミラー１４とを含む光学系１５と、ミラー１６、１７を含む光学系１８とを移動させながら、コンタクトガラス１２上に載置された原稿の画像を読み取りのために光走査する。この光走査によって得られた原稿反射光が、レンズ１９の後方に配置された画像読み取り素子２０で画像信号として読み込まれ、読み込まれた画像信号がデジタル化された後、画像処理される。そして、この画像処理の画像情報に基づいて、記録紙５に対する画像形成が行われる。
【００１２】
なお、本複写機は、画像読取部１１によって読み取った原稿画像に基づく画像を形成する他に、外部のパーソナルコンピュータ等の情報処理装置、イメージスキャナなどの画像読取装置、デジタルカメラなどの撮像装置などから送られてくる画像情報にも基づいて、画像を形成することができる。
【００１３】
筐体内の底部付近には、給紙部４が設けられており、給紙カセット４１に内包している紙束から記録紙５を１枚ずつ取り出して給紙路に向けて送り出す。給紙カセット４１は、筐体の前面側から抜き差し可能である。そして、内部の紙束における一番上の記録紙５を分離して送り出すための給紙コロ４２及びフリクションパッド４３を有している。また、筐体の下側にオプションで装着される両面ユニット１０から筐体内に向けて送り込まれる記録紙５を受け入れるための受入ローラ４８や、記録紙５を後述する画像形成部２に向けて搬送する搬送ローラ対４９なども有している。給紙コロ４２など、記録紙５を後述の画像形成部２に向けて搬送する部材は、図示しない給紙クラッチを介してＨＢ型ステッピングモータからなる給紙モータ４５によって回転駆動される。
【００１４】
給紙路に送り込まれた記録紙５は、やがて副走査搬送部３と画像形成部２との間に形成された走査搬送位置に進入する。この走査搬送位置では、画像形成部２が記録紙５に向けて液滴を吐出して所要の画像を形成（記録）する。
【００１５】
画像形成部２は、図２に示すように、キャリッジ２３をガイドロッド２１及び図示しないガイドステーによって主走査方向に移動可能に保持している。キャリッジ２３は、主走査モータ２７によって回転駆動される駆動プーリー２８Ａと、従動プーリー２８Ｂとの間に架け渡されたタイミングベルト２９の張架部分に連結されており、ベルトの移動に伴って主走査方向に移動せしめられる。
【００１６】
キャリッジ２３の上には、上述の走査搬送位置で搬送される記録紙５にインクの液滴を吐出して画像を記録する液滴吐出手段たる記録ヘッド２４が搭載されている。この記録ヘッド２４は、互いに主走査方向に並びながらイエロー（ｙ），マゼンタ（ｍ），シアン（ｃ），黒（ｋ）のインクを吐出するｙ，ｍ，ｃ，ｋ液滴吐出ヘッド２４ｙ，２４ｍ，２４ｃ、２４ｋを有している。なお、印字頻度の比較的高いｋについては、２つのｋ液滴吐出ヘッド２４ｋ１，２４ｋ２が搭載されている。
【００１７】
記録ヘッド２４としては、インク流路内（圧力発生室）のインクを加圧する圧力発生手段（アクチュエータ手段）として圧電素子を用いてインク流路の壁面を形成する振動板を変形させてインク流路内容積を変化させてインク滴を吐出させるいわゆるピエゾ型のものを例示することができる。また、発熱抵抗体を用いてインク流路内でインクを加熱して気泡を発生させることによる圧力でインク滴を吐出させるいわゆるサーマル型のものでもよい。また、インク流路の壁面を形成する振動板と電極とを対向配置し、振動板と電極との間に発生させる静電力によって振動板を変形させることで、インク流路内容積を変化させてインク滴を吐出させる静電型のものでもよい。
【００１８】
キャリッジ２３の走査方向一方側の非印字領域には、記録ヘッド２４のノズルの状態を一定に維持するための維持回復装置１２１が配置されている。この維持回復装置１２１は、５個の液滴吐出ヘッド（２４ｙ〜２４ｋ２）のノズル面をそれぞれ個別にキャッピングするための５個の保湿用キャップ１２２ｋ２、１２２ｋ１、１２２ｃ、１２２ｍ、１２２ｙを有している。また、吸引用キャップ１２３、ノズル面をワイピングするためのワイパーブレード１２４、記録（画像形成）に寄与しない液滴の吐出（空吐出）を行わせるための空吐出受け部材１２５なども有している。なお、部材の符号の末尾に記載されているｙ、ｍ、ｃ、ｋという添字は、イエロー、マゼンタ、シアン、ブラック用の部材であることを示している。
【００１９】
キャリッジ２３の走査方向他方側の非印字領域には、５個の液滴吐出ヘッド（２４ｙ〜２４ｋ２）から画像形成に寄与しない液滴の吐出（空吐出）を行わせるための空吐出受け部材１２６が配設されている。この空吐出受け部材１２６には、液滴吐出ヘッド２４ｙ，２４ｍ，２４ｃ，２４ｋ１，２４ｋ２にそれぞれ個別に対応する開口１２７ｙ，１２７ｍ，１２７ｃ，１２７ｋ１，１２７ｋ２が設けられている。
【００２０】
各色の液滴突出ヘッド（２４ｙ〜２４ｋ２）に対しては、図１に示したように、キャリッジ２３上に搭載されたサブタンク２５からそれぞれ対応色のインクが供給される。このサブタンク２５は、ｙ，ｍ，ｃ，ｋのインクをそれぞれ独立させた状態で貯留することができる。よって、本プリンタでは、図２に示したガイドロッド２１、図示しないガイドステー、駆動プーリー２８Ａ、従動プーリー２８Ｂ、タイミングベルト２９などにより、第１貯留タンクたるサブタンク２５を搭載したキャリッジ２３を画像の主走査方向に移動せしめる主走査移動手段が構成されている。
【００２１】
先に示した図１において、給紙カセット４１の上方には、ｙ，ｍ，ｃ，ｋインクを収容するインクカートリッジ２６ｙ，２６ｍ，２６ｃ，２６ｋが着脱可能に装着されている。第２貯留タンクたるこれらインクカートリッジ内に収容されたｙ，ｍ，ｃ，ｋインクは、それぞれ必要に応じてキャリッジ２３上のサブタンク５内に補給される。
【００２２】
画像形成部２との間に走査搬送位置を形成する副走査搬送部３は、図３に示すように、無端帯状の搬送ベルト３１を、従動ローラ３３と、回転駆動される駆動ローラ３２とによって張架しながら、図中反時計回り方向に無端移動せしめる。搬送ベルト３１のおもて面には、図示しない高圧電源から出力される交流電圧が印加される帯電ローラ３４が当接しており、前記おもて面は帯電ローラ３４からの放電によって帯電する。この帯電により、給紙路内から走査搬送位置に進入した記録紙５が搬送ベルト３１のおもて面に吸着せしめられる。
【００２３】
給紙路の末端から走査搬送位置に向けて送られてきた記録紙５は、搬送ベルト３１と、これのおもて面に当接する押さえコロ３６とによって形成されている受入ニップに進入する。そして、帯電ローラ３４によって帯電せしめられた搬送ベルト３１のおもて面に静電吸着した後、搬送ベルト３１の無端移動に伴って副走査方向に搬送される。
【００２４】
走査搬送位置では、板状の走査ガイド部材３５が搬送ベルト３１の上部張架部に裏面側から当接している。これにより、走査搬送位置における搬送ベルト３１の波打ちが抑えられている。
【００２５】
駆動ローラ３２の回転軸には、タイミングローラ１３３が固定されている。駆動ローラ３２は、副走査モータ１３１の回転駆動力が、タイミングベルト１３２とタイミングローラ１３３とを介して駆動ローラ３２に伝達されることにより、駆動ローラ３２が回転駆動される。そして、この回転駆動に伴って搬送ベルト３１が無端移動せしめられる。
【００２６】
搬送ベルト３１は、抵抗制御剤を含有しない純粋な樹脂材、例えばＥＴＦＥピュア材で形成された用紙吸着面となる表層と、この表層と同材質でカーボンによる抵抗制御を行った裏層（中抵抗層、アース層）との２層構造としているが、これに限るものではなく、１層構造あるいは３層以上の構造でも良い。
【００２７】
搬送ベルト３１の無端移動に伴って走査搬送位置を通過した記録紙５は、分離爪３７によってベルトおもて面から分離される。
【００２８】
分離爪３７との当接位置を通過したベルト表面は、表面に付着している紙粉等の汚れがベルトクリーニング手段１３５によって除去された後、除電ブラシ１３６に接触して除電される。
【００２９】
搬送ベルト３１から分離された記録紙５は、図１に示した記録後搬送部７に受け渡される。この記録後搬送部７は、記録紙５の画像記録面に対向する上ガイド部材７４と、記録紙５の裏面に対向する下ガイド部材７３との間に記録後搬送路７０を形成している。そして、上ガイド部材７４は、記録紙５の搬送方向とこれと直交する方向とに格子状に配設された複数の拍車７２をそれぞれ回動自在に保持している。また、下ガイド部材７３は、記録紙５の搬送方向とこれに直交する方向とに格子状に配設された複数の搬送コロ７１をそれぞれ回転自在に保持している。
【００３０】
複数の搬送コロ７１は、図示しない駆動手段からの駆動伝達によってそれぞれ回転駆動せしめられる。また、複数の拍車７２は、回動軌道に沿って並ぶ複数の鋭利な突起を有しており、これら突起を複数の搬送コロ７１のうち、自らに対応する搬送コロ７１に当接させている。
【００３１】
副走査搬送部３から記録後搬送部７に受け渡された記録紙５は、記録後搬送路７０内において、拍車７２と搬送コロ７１との間に挟み込まれながら、搬送コロ７１の回転に伴って水平方向に搬送される。この際、自らの突起を記録紙５の画像記録面に点接触させた拍車７２が記録紙５を下ガイド部材７３に向けて押さえ付ける。これにより、記録紙５の画像記録面上の乾いていないインクと、上ガイド部材７４との接触によるインク汚れや画像乱れが回避される。
【００３２】
記録後搬送部７の側方には、揺動軸を中心にして揺動可能な第１切替爪６０が配設されている。この第１切替爪６０は、その揺動位置により、記録後搬送部７から送り出されてくる記録紙５における以降の搬送方向を、反転排紙部７６に向かう方向と、オプションの両面ユニット１０に向かう方向と、ストレート排紙路とで切り替えるようになっている。
【００３３】
第１切替爪６０によって搬送方向が両面ユニット１０に向かう方向に設定されている場合には、記録後搬送路７から送り出された記録紙５が両面ユニット１０の下降反転部９０に送り込まれる。そして、下降反転部９０の下降反転搬送路９０ｃに設けられた複数の搬送コロ対９１によって上下反転せしめられながら搬送されて、両面ユニット１０の水平搬送路９０ａ内に進入する。この水平搬送路９０ａは水平方向に延在しており、受け入れた記録紙５を搬送コロ対９３のコロ間に挟み込みながら水平方向に搬送する。
【００３４】
反転再給紙手段としての両面ユニット１０は、水平搬送路９０ａの直下に、スイッチバック搬送路９０ｂを有している。水平搬送路９０ａから送り出された記録紙５は、揺動駆動可能な第２切替爪９６に接触して再び上下反転せしめられながらこのスイッチバック搬送路９０ｂ内に進入する。そして、スイッチバック搬送路９０ｂ内に設けられた複数の搬送コロ対９５のコロ間に挟み込まれながら、水平搬送路９０ａとは逆方向に搬送される。
【００３５】
記録紙５の後端がスイッチバック搬送路９０ｂ内に進入すると、両面ユニット１０はスイッチバック搬送路９０ｂ内の搬送コロ対９５の回転駆動方向を逆転させ始める。また、これとほぼ同じタイミングで、第２切替爪９６を所定の角度だけ回転させる。すると、記録紙５がそれまでの後端側を先頭にしてスイッチバック搬送路９０ｂ内をスイッチバックして、両面排出路内に進入する。そして、両面搬送路から複写機本体の給紙部４に受け渡された後、更に上下反転せしめられながら、画像形成部２と副走査搬送部３との間の走査搬送位置に再供給される。
【００３６】
走査搬送位置に再供給された記録紙５は、先の画像形成面とは反対側の裏面を画像形成部２に対向させている。そして、走査搬送位置で副走査方向に搬送されるのに伴って、その裏面にも画像が記録された後、再び記録後搬送部７に受け渡される。
【００３７】
記録後搬送部７の側方に配設された第１切替爪６０によって搬送方向が反転排紙部７６に向かう方向に設定されている場合には、記録後搬送路７０から送り出された記録紙５が反転排紙部７６に送り込まれる。そして、反転排紙部７６の反転排紙路８１内で、反転ローラ対７７のローラ間や、排紙ローラ対７８のローラ間に挟み込まれて、上下反転せしめられながら機外に向けて排出される。排出された記録紙５は、画像形成部２等を内包するプリント部の筐体の上面に設けられたスタック部８９上にスタックされる。
【００３８】
第１切替爪６０によって搬送方向がストレート排紙路に向かう方向に設定されている場合には、記録後搬送路７から送り出された記録紙５がそのままストレートに搬送されて、筐体の図中左側方に向けて排紙される。そして、筐体の側面に設けられた排紙トレイ８８上にスタックされる。
【００３９】
図４は、実施形態に係る複写機を示す分解斜視図である。同図では、筺体の一部をなす樹脂製の外装カバーを取り外した状態の複写機を示している。また、便宜上、両面ユニット（１０）の図示を省略している（後述する図５、図６、図１１、図１８、図１９、図２０も同様）。
【００４０】
本複写機は、図示しない板金からなる底板、板金からなる右側板２０１、板金からなる左側板２０２、各側板を外側から覆う図示しない樹脂製の外装カバー、板金からなる背面板２０３、樹脂製の背面着脱蓋２０４などによって箱状の筺体が構成されている。
【００４１】
板金からなる背面板２０３は、樹脂製の外装カバーには覆われておらず、外面が外部に露出している。この背面板２０３には、図５に示すように比較的大きな矩形状の点検開口２０３ａが形成されている。この点検開口２０３ａには図４に示したように樹脂製の背面着脱蓋２０４が係合しているため、通常は点検開口２０３ａが閉じられている。
【００４２】
背面板２０３の内側面には、図６に示すように、各種機器に電源を供給する電源装置２０５、後述する制御部等を具備するメイン回路基板２０６、サブ回路基板２０７など、作動に伴って比較的多くの熱を発する機器が固定されている。また、筺体内において、背面板２０３に係合している背面着脱蓋２０４の近傍には、先に図５に示したように、回転駆動に伴って比較的多くの熱を発するモータ群２０８（後述する副走査モータ、給紙モータ、ルーバー駆動モータなどからなる）が配設されている。筺体内での熱気をできるだけ背面側に集中させる狙いから、比較的多くの熱を発する各種の機器が背面側に集中して配設されているのである。
【００４３】
背面着脱蓋２０４には、図７に示すように、筺体の内外で通気を行うための通気口２０４ａが形成されている。筺体内においては、水平方向に延在している扁平状のルーバー部材２５０が上下方向に所定のピッチで並ぶように配設されている。扁平開閉部材としてのこれらルーバー部材２５０は、それぞれ図８、図９に示すように、水平方向に延在する揺動軸２５０ａを中心にして揺動する。この揺動は互いのルーバー部材２５０の揺動位置を同期させるように行われる。揺動軸２５０ａは、ルーバー部材２５０の短手方向の中心部に設けられている。
【００４４】
複数のルーバー部材２５０がそれぞれ第１揺動停止位置で揺動を停止させると、図９に示したように、互いに隣り合うルーバー部材２５０の端部同士が重なり合う。これにより、複数のルーバー部材２５０が、１つの板状の構造となって各ルーバー部材間の隙間がなくなる。同時に、最も上側に位置しているルーバー部材２５０の上端部が背面着脱蓋２０４の通気口上縁箇所に重なるとともに、最も下側に位置しているルーバー部材２５０の下端部が背面着脱蓋２０４の通気口下縁箇所に重なる。これにより、通気口２０４ａが閉じられる。
【００４５】
一方、複数のルーバー部材２５０がそれぞれ第２揺動停止位置で揺動を停止させると、図８に示したように、互いに隣り合うルーバー部材２５０の間に比較的大きな隙間が形成されて、通気口２０４ａが開かれる。
【００４６】
次に、第１実施形態に係る複写機の特徴的な構成について説明する。
複数のルーバー部材２５０は、それぞれタイミングベルト、ギヤ、カム、シャフト、あるいはこれらの組合せなどからなる図示しない駆動伝達系を介して図示しないルーバー駆動モータからの駆動力が伝達されることで揺動せしめられるようになっている。
【００４７】
図１０は、実施形態に係る複写機の電気回路の一部を示すブロック図である。同図において、制御部は図示しない演算手段としてのＣＰＵ（Central Processing Unit）、データ記憶手段としてのＲＡＭ（Random Access Memory）、ＲＯＭ（Read Only Memory）等を有しており、ＲＡＭ等に記憶している制御プログラムに基づいて各種機器の駆動を制御したり、制御パラメータの演算処理をしたりする。
【００４８】
テンキーや液晶ディスプレイ等で構成される操作表示部３０７に対するコピースタートボタン押下操作が行われると、その命令信号が制御部３００を介してスキャナ制御回路３０３に送られる。そして、スキャナ制御回路３０３が画像読取部（１１）の光学系１８を制御することで、画像読取素子２０によって原稿の画像情報が得られる。この画像情報は、画像処理回路３０１によって処理された後、上述の記録ヘッド２４、主走査モータ２７、副走査モータ１３１などの駆動を制御する記録制御回路３０２に送られる。
【００４９】
制御部３００は、画像情報に基づいて画像処理回路３０１から発せられた搬送制御用信号を受けとると、主走査モータ２７や副走査モータ１３１の駆動が開始される前に、ルーバー駆動モータ３０６を所定の時間だけ逆回転させる。これにより、上述の複数のルーバー部材（２５０）が上記第１揺動停止位置まで移動して上記通気口（２０４ａ）が閉じられる。その後、副走査搬送部３及び画像形成部２などからなる画像形成手段の駆動による画像形成動作が開始される。そして、画像形成動作が終了すると、制御手段たる制御部３００はルーバー駆動モータ３０６を所定時間だけ正回転させる。これにより、複数のルーバー部材（２５０）が上記第２用お堂停止位置まで移動して上記通気口（２０４ａ）が開かれる。
【００５０】
このように、制御部３００は、画像形成部２や副走査搬送部３などからなる画像形成手段による画像形成動作が行われているときには通気口（２０４ａ）を閉じた状態で開閉手段たる複数のルーバー部材（２５０）を停止させる。そして、画像形成動作が停止したことに基づいて複数のルーバー部材（２５０）の開動作を行わせる。かかる構成では、画像形成手段の主走査モータ２７、副走査モータ１３１、記録ヘッド２４などの駆動によって筐体内で騒音が発生してしまう画像形成動作中に、複数のルーバー部材（２５０）を第１揺動停止位置で停止させて通気口（２４０ａ）を閉じることになる。これにより、通気口（２０４ａ）を介した筐体内と筐体外との連通を遮断することで、通気口（２０４ａ）からの騒音の漏れをほぼ解消することができる。また、画像形成動作の停止によって記録ヘッド２４等の動作による騒音が発生しなくなった際には、複数のルーバー部材（２５０）を第２揺動停止位置で停止させて通気口（２０４ａ）を開くことで、画像形成動作中に筐体内に蓄積してしまった熱を外部に逃がすことができる。
【００５１】
なお、本複写機は、コピーではなく、パーソナルコンピュータ等から送られてくる画像情報に基づいて複数の記録紙（５）の片面に対して連続してプリントを行うことがある（連続片面プリントモード）。この場合、制御部３００は、連続した画像形成動作（連続プリント動作）が継続している間、複数のルーバー部材（２５０）を第１揺動停止位置に停止させたままにして、通気口（２０４ａ）を閉じ続ける。そして、最後の記録紙に対する画像形成動作が終了した後に、通気口を開く。
【００５２】
また、本複写機は、１枚の記録紙に対して両面プリントを行ったり（１枚両面プリントモード）、複数の記録紙に対してそれぞれ連続して両面プリントを行ったり（連続両面プリントモード）することもある。これらの場合、制御部３００は、記録紙の一方の面に対する画像形成動作が終了したことに基づいて複数のルーバー部材（２５０）を上記第２揺動停止位置まで移動せしめて通気口（２０４ａ）を開く。その後、他方の面へのプリントのために両面ユニット（１０）から再搬送されてくる記録紙を受け入れる画像形成手段の画像形成動作が開始される前に、複数のルーバー部材（２５０）を上記第２揺動停止位置まで移動せしめて通気口（２０４ａ）を閉じる。かかる構成では、両面プリント時における一方の面のための画像形成動作と、他方の面のための画像形成動作との間に生ずる僅かな画像形成動作停止期間にも通気口（２０４ａ）を開いて、筐体内の熱気を効率良く筐体外に逃がすことができる。オプションとして搭載される両面ユニット（１０）は複写機の筐体とは別体となっているので、両面ユニット（１０）内での騒音が複写機の筐体の通気口（２０４ａ）から漏れることは殆どない。
【００５３】
また、便宜上、図１０では図示を省略しているが、各インクカートリッジ（２６ｙ〜２６ｋ）内のインクを記録ヘッド（２４）のサブタンクまで搬送するためのポンプモータの駆動も、制御部３００によって制御される。
【００５４】
図１１は、本複写機を正面側から示す斜視図である（両面ユニット１０は図示していない）。筺体の下部に収容されている給紙カセット４１は、図中矢印方向にスライド移動せしめられることで、筐体に対して複写機正面側から着脱される。
【００５５】
図１２は、筐体内の給紙カセット４１を上側から示す模式図である。筐体内において、給紙カセット４１と背面板２０３との間には、上述した電源装置２０５やカセット検知センサ３０８が介在している。また、電源装置２０５と給紙カセット４１との間には、気流発生手段としての送風ピストン２１１が介在している。
【００５６】
カセット検知センサ３０８は、反射型フォトセンサ等からなり、筐体内の正規位置にセットされた状態の給紙カセット４１を検知しているときには、カセット検知信号を上述の制御部（３００）に出力する。また、筐体内から引き出され始めた給紙カセット４１を検知しなくなったときには、制御部に対してカセット検知信号を出力しなくなる。よって、操作者による給紙カセット４１の着脱操作（所定の操作）を検知する操作検知手段として機能している。
【００５７】
送風ピストン２１１は、シリンダ内でスライド移動可能なピストン２０９と、これを複写機正面側に向けて付勢するコイルバネ２１０とを有している。給紙カセット４１は筐体内に挿入される過程において、正規位置まで押し込まれるのに先立って後端部をピストン２０９の先端部に突き当て始める。そして、更に押し込まれていくことで、コイルバネ２１０の伸張力に反してピストン２０９をシリンダ内に押し込んでいく。すると、ピストン２０９の後端に設けられた送風板が複写機正面側から背面側に移動して電源装置２０５に向けて送風を行う。この送風により、電源装置２０５が冷却される。
【００５８】
給紙カセット４１が正規位置から引き出されるときには、その引き出しに伴ってピストン２０９がコイルバネ２１０の付勢力によってシリンダ内から伸びていく。そして、ある程度まで伸びた時点で図示しないストッパーに引っ掛かって止まる。このように、本複写機では、送風ピストン１１が、着脱式記録体収容器たる給紙カセット４１の着脱操作に連動して、筺体内で気流を発生させる連動気流発生手段として機能している。そして、給紙カセット４１に連動した動作によって電源装置２０５に向けて送風することで、電源装置を冷却することができる。
【００５９】
なお、連動気流発生手段として、筐体内から通気口（２０４ａ）を介した筐体外への排気流や、筐体外から通気口を介した吸気流を発生させるもの、を用いても良い。排気流、吸気流を発生させるものを用いた場合には、給紙カセット４１の着脱操作に連動して排気、吸気を促すことができる。
【００６０】
また、給紙カセット４１の装着操作に連動した動作によって電源装置２０５に送風する手段として、電源装置２０５との対向位置に配設したファンを、装着操作に連動して回転させるものを用いてもよい。例えば、複数枚の羽根からなるファンにおける特定の羽根に突起を設け、この突起を筺体に装着されているカセットのねじれた形状のテーパーに接触させることで、ファンを約１回転させるものを例示することができる。また、伸縮可能なレバー部材の収縮動作に伴ってファンを回転させる機構を設け、筺体内に装着される給紙カセット４１との突き当たりに伴ってレバー部材を収縮させてファンを回転させる一方で、給紙カセット４１の取り外しに伴ってレバー部材をバネの付勢力によって伸ばすものでもよい。
【００６１】
図１３は、第１実施形態に係る複写機の第１変形例装置におけるルーバー部材２５０を示す側面図である。複数のルーバー部材２５０は、それぞれ短手方向の一端部に揺動軸２５０ａを有している。そして、それぞれの他端部は、平細板上のアーム部材２５１に摺動可能に接続されている。このアーム部材２５１には、一端側に弓状ギヤ部が形成されている揺動ギヤ２５２の他端側（非ギヤ部）が摺動可能に接続されており、弓状ギヤ部にはルーバー駆動モータ３０６のモータギヤが噛み合っている。ルーバー駆動モータ３０６が所定の回転角度だけ正転、逆転すると、その駆動力が揺動ギヤ２５２を介してアーム部材２５１に伝達され、アームが上下移動しながら上端側を弓状の軌道に沿って移動させる。これにより、複数のルーバー部材２５０がそれぞれ揺動位置を同期させながら揺動する。
【００６２】
かかる構成においては、アーム部材２５１、揺動ギヤ２５２、ルーバー駆動モータ３０６などにより、ルーバー２５０を駆動する駆動手段が構成されている。
【００６３】
図１４は、第１実施形態に係る複写機の第２変形例装置におけるルーバー部材２５０を示す側面図である。複数のルーバー部材２５０は、その短手方向の中心部に設けられた揺動軸２５０ａを中心にして揺動する点が第１実施形態に係る複写機と同様であるが、弾性材料からなる点が同複写機と異なる。ここで言う弾性材料は、その塊が弾性を発揮し得る材料（ゴムや軟性樹脂など）である。金属バネは、バネ構造全体としては弾性を発揮するが、材料の金属事態は塊として弾性を発揮しない。
【００６４】
弾性材料からなる複数のルーバー部材２５０が上記第１揺動停止位置まで揺動せしめられる際には、互いに隣り合うルーバ−部材２５０の端部同士が重なり合わされる。この際、ルーバー部材２５０が金属等の剛性材料からなっていると、端部同士の突き当たりの際に比較的大きな衝突音を発生してしまう。しかし、本第２変形例装置では、ルーバー部材２５０の端部が重なり合う際に柔軟に変形して衝撃を和らげることで、衝突音を低減することができる。
【００６５】
図１５は、第１実施形態に係る複写機の第３変形例装置におけるルーバー部材２５０を示す側面図である。同図の複数のルーバー部材２５０も、短手方向の中心部に設けられた揺動軸２５０ａを中心にして揺動する点が第１実施形態に係る複写機と同様である。そして、隣のルーバー部材２５０との重なり合い箇所（端部）に、ゴム、軟性樹脂、発泡樹脂等の材料からなる緩衝部材２５３が固定されている点が、同複写機と異なっている。ルーバー部材２５０の端部同士を、緩衝部材２５３を介して突き当たらせることで、衝撃音を低減することができる。
【００６６】
図１６は、第１実施形態に係る複写機の第４変形例装置における通気口２０４ａを示す断面図である。通気口２０４ａの内部には、通気口２０４ａ内を上下方向に複数に仕切る複数の固定ルーバー部材２０４ｂが上下方向に所定の間隙をあけるように配設されているが、これらは不動であるため、通気口２０４ａを開閉する開閉手段として機能しない。
【００６７】
筺体内では、通気口２０４ａよりも大きな平面積のシャッター部材２５４が通気口２０４ａの全領域に対向するように配設されている。そして、このシャッター部材２５４の内面側には、ソレノイド２５５の伸縮軸が固定されている。ソレノイド２５５の伸縮軸が伸びると、開閉手段としてのシャッター部材２５４が通気口２０４ａに対向しつつ通気口２０４ａの周縁部に接触して通気口２０４ａを閉じる位置まで移動する。また、伸縮軸が縮むと、シャッター部材２５４が通気口２０４ａに対向しつつ通気口２０４ａの周縁部から離間して通気口２０４ａを開く位置まで移動する。このような往復移動により、通気口２０４ａが開閉される。
【００６８】
かかる構成では、アーム部材、ギヤ、タイミングベルト、Ｖベルト、プーリー、揺動ギヤなどといった複雑な駆動伝達機構を設けることなく、通気口２０４ａを開閉することができる。
【００６９】
次に、本発明を適用した複写機の第２実施形態について説明する。なお、以下に特筆しない限り、第２実施形態に係る複写機の構成は第１実施形態と同様である。
【００７０】
本複写機では、操作者による所定の操作が行われたことを検知する操作検知手段を有しており、これによる検知結果に基づいてルーバー部材等の開閉手段の開閉動作を行わせるようになっている。操作検知手段としては、画像形成部２や副走査搬送部３などからなる画像形成手段の画像形成動作を停止しているときに行われる操作、あるいは画像形成動作の緊急一時停止を生起せしめる操作を検知するものが用いられている。
【００７１】
かかる構成では、操作検知手段による所定の操作の検知に基づいて画像形成動作が停止していることを検知し、この検知結果に基づいて通気口（２０４ａ）を開くことが可能である。また、所定の操作が検知されなくなったことに基づいて画像形成動作の開始が起こり得る状態になったことを検知し、この検知結果に基づいて通気口（２０４ａ）を閉じることが可能である。かかる構成においても、第１実施形態に係る複写機と同様に、筐体内で発生する騒音の外部への漏れを従来よりも低減することができる。
【００７２】
次に、第２実施形態に係る複写機に、より特徴的な構成を付加した各実施例の複写機について説明する。なお、以下に特筆しない限り、各実施例に係る複写機の構成は第２実施形態と同様である。
【００７３】
［第１実施例］
第１実施例に係る複写機は、図１７に示すように、筺体の前面左カバーが水平方向に開閉可能になっており、これら開かれることにより、筺体内のインクカートリッジ２６ｙ，２６ｍ，２６ｃ，２６ｋが露出する。操作者は、このように露出させた状態のインクカートリッジを取り出して、新たなものと交換する。
【００７４】
各インクカートリッジ２６ｙ，２６ｍ，２６ｃ，２６ｋは、それぞれ、製品ＩＤ番号を記憶している図示しないＩＣチップを備えており、筺体内にセットされた状態では、このＩＣチップと上述の制御部（３００）とが電気的に接続されて、チップ内の製品ＩＤ番号が制御部に読み取られる。何れかのインクカートリッジが取り外されると、製品ＩＤ番号の情報が出力されなくなるので、制御部はその情報に対応するインクカートリッジの取り外し操作を検知する。また、新たなインクカートリッジがセットされると、それに対応する製品ＩＤ番号が出力されてくるので、そのことに基づいて新たなカートリッジの装着を検知する。このように、本複写機では、制御部や、ＩＣチップから制御部に至るまでの信号線などにより、インクカートリッジの着脱操作（所定の操作）を検知する操作検知手段が構成されている。
【００７５】
インクカートリッジが取り外された状態で画像形成動作を行うと、画像に悪影響を及ぼすおそれがあるため、制御部は、インクカートリッジの取り外しを検知しているときには各種機器を作動させない制御を実施するようになっている。また、画像形成動作中にインクカートリッジの取り外しを検知した場合には、取り付けが検知されるまで画像形成動作を一時停止させる制御を実施するようになっている。更に、インクカートリッジの取り外しを検知したときに、ルーバー駆動モータ（３０６）の駆動によって各ルーバー部材（２５０）を上記第２揺動停止位置まで移動させて、通気口（２０４ａ）を開く。この一方で、インクカートリッジの取り付けを検知したときには、各ルーバー部材（２５０）を上記第１揺動停止位置まで移動させて通気口を閉じる。
【００７６】
［第２実施例］
図１８は、第２実施例に係る複写機を右側面側から示す部分斜視図である。筺体を構成している右側板２０１には、右カバー扉２６１が回動自在に支持されている。この右カバー扉２６１が開かれると、図１９に示すように、筺体内の給紙路が露出する。操作者は、給紙路内で記録紙のジャムが発生した場合には、このようにして給紙路を露出させてジャム紙を容易に除去することができる。
【００７７】
右側板２０１には、閉扉検知スイッチ３０９が固定されており、右カバー扉２６１が閉じられると、この閉扉検知スイッチ３０９が右カバー扉２６１に押下される。これにより、制御部（３００）は閉扉操作を検知する。また、右カバー扉が開かれると、閉扉検知スイッチ３０９の押下状態が解かれる。これにより、制御部（３００）は開扉操作を検知する。このように、本複写機では、閉扉検知スイッチ３０９や制御部などにより、右カバー扉２６１の開閉操作（所定の操作）を検知する操作検知手段が構成されている。
【００７８】
右カバー扉２６１が開かれた状態で画像形成動作や給紙動作を行うと、操作者に対して危険を及ぼすおそれがあるため、制御部は、右カバー扉２６１の開放を検知しているときには各種機器を作動させない制御を実施するようになっている。また、画像形成動作中に右カバー扉の開放を検知した場合には、閉扉状態が検知されるまで画像形成動作を一時停止させる制御を実施するようになっている。更に、右カバー扉２６１の開放を検知したときに、ルーバー駆動モータ（３０６）の駆動によって各ルーバー部材（２５０）を上記第２揺動停止位置まで移動させて、通気口（２０４ａ）を開く。この一方で、閉扉を検知したときには、各ルーバー部材（２５０）を上記第１揺動停止位置まで移動させて通気口を閉じる。
【００７９】
［第３実施例］
図２０は、本複写機の上面を斜め上から示す部分斜視図である。複写機の最上部には、コピー原稿をコンタクトガラスに押さえ付けるための押さえ板２６３が開閉可能に支持されている。操作者は、コピーを実施するにあたって、この押さえ板２６３を図示のように開いて、コンタクトガラスを露出させる。そして、コンタクトガラス上にコピー原稿を載せた後、押さえ板２６３を閉じることで、コピー原稿をコンタクトガラスに押さえ付ける。
【００８０】
コンタクトガラスの横には、閉板検知スイッチ３１０が固定されており、押さえ板２６３が閉じられると、この閉板検知スイッチ３１０が押さえ板２６３に押下される。これにより、制御部（３００）は閉板操作を検知する。また、押さえ板２６３が開かれると、閉板検知スイッチ３１０の押下状態が解かれる。これにより、制御部（３００）は開板操作を検知する。このように、本複写機では、閉板検知スイッチ３１０や制御部などにより、押さえ板２６３の開閉操作（所定の操作）を検知する操作検知手段が構成されている。
【００８１】
本複写機は、高速プリントが可能であるため、コピー用の原稿読取を終了してからほんの僅かなタイムラグをおいただけで、コピー画像の画像形成動作を終えることができる。操作者は、複数枚のコピーをとる場合には、コンタクトガラス上にセットしてあるコピー原稿のスキャンニング（読取）が終了した後、押さえ板２６３を開くが、このときには画像形成動作が終了している。そこで、制御部（３００）は、押さえ板２６３の開操作を検知したときに、ルーバー駆動モータ（３０６）の駆動によって各ルーバー部材（２５０）を上記第２揺動停止位置まで移動させて、通気口（２０４ａ）を開く。
【００８２】
操作者は、コピー原稿を交換すると、次に、押さえ板２６３を閉じた後に操作表示部３０７のコピースタートボタンを押す。このとき、制御部は、押さえ板２６３の閉操作の検知結果に基づいて各ルーバー部材（２５０）を上記第１揺動停止位置まで移動させて通気口を閉じてから画像形成動作を開始する。
【００８３】
［第４実施例］
第４実施例に係る複写機においては、上述のカセット検知センサ３０８による検知結果に基づいて連続プリント動作中に給紙カセット４１が引き出されたことを検知したときには、連続プリント動作を一時停止するとともに、通気口２０４ａを開く。そして、その後のカセット検知センサ３０８による検知結果に基づいて給紙カセット４１のセット操作を検知すると、通気口２０４ａを閉じた後に、連続プリント動作を再開する。
【００８４】
［第５実施例］
第５実施例に係る複写機においては、外部のパーソナルコンピュータ等から送られてくる画像情報の受信を開始すると、その受信開始からプリント動作が開始される間での間に、それまで閉じていた通気口２０４ａを開く。かかる構成では、複数のパーソナルコンピュータに接続されている場合に、複数のコンピュータからそれぞれ画像情報が頻繁に送られてきても、それぞれの画像情報の受信開始からプリントジョブ開始までの間に発生する僅かな停止時間中に通気口２０４ａを開いて筐体内を冷却することができる。
【００８５】
なお、第１実施形態に係る複写機や各変形例装置の構成と、第２実施形態や各実施例に係る複写機の構成との両方を採用すると、より効率的に筺体内の熱を外部に排出することができる。
【００８６】
以上、第１実施形態に係る複写機や各変形例装置においては、画像形成部２や副走査搬送部３などからなる画像形成手段によって一方の面に画像が形成された記録紙５を受け取った後、他方の面に対する画像形成のためにその記録紙５を上下反転せしめて再び画像形成手段に送り込む反転再給紙手段たる両面ユニット１０を設けている。そして、画像形成手段による一方の面に対する画像形成動作が停止したことに基づいて開閉部材たるルーバー部材２５０の開動作を行わせた後、両面ユニット１０から再搬送されてくる記録紙５を受け入れる画像形成手段の画像形成動作が開始される前にルーバー部材２５０の閉動作を行わせる制御を実施するように、制御手段たる制御部を構成している。かかる構成では、両面プリント時における一方の面のための画像形成動作と、他方の面のための画像形成動作との間に生ずる僅かな画像形成動作停止期間にも通気口２０４ａを開いて、筐体内の熱気を効率良く筐体外に逃がすことができる。
【００８７】
また、これまで説明してきた各複写機や変形例装置においては、画像形成手段として、インクジェット方式のものを用いているので、トナーの熱定着が必要な電子写真方式のものを用いる場合に比べて、筺体内での発熱を抑えることができる。これにより、画像形成動作中にルーバー２５０を閉じていても、筺体内の過剰な昇温の発生を抑えることができる。
【００８８】
また、第１実施形態に係る複写機においては、画像形成手段に送るための記録紙５を複数収容し且つ筐体に対して着脱可能に構成された着脱式記録体収容器たる給紙カセット４１と、これの着脱操作に連動して、筺体内での気流を発生させる連動気流発生手段たる送風ピストン２１１とを設けている。かかる構成では、給紙カセット４１の着脱操作に連動して筺体内で気流を発生させることで、筺体の内外での空気の入れ換えを促すことができる。なお、連動気流発生手段として、筐体内から通気口２０４ａを介した筐体外への排気流や、筐体外から通気口２０４ａを介した吸気流を発生させるもの、を用いてもよい。
【００８９】
また、第１実施形態に係る複写機においては、送風ピストン２１１として、画像形成手段の電源たる電源装置２０５に向けて送風するもの、を用いているので、画像形成動作中に加熱した電源装置２０５を送風によって冷却することができる。
【００９０】
また、各実施形態に係る複写機においては、開閉手段として、揺動軸２５０ａを中心にして揺動することで通気口２０４ａを開閉する扁平開閉部材たるルーバー部材２５０を用いている。かかる構成では、揺動という比較的小さなルーバー部材２５０の動きによって通気口２０４ａを開閉することができる。
【００９１】
また、各実施形態に係る複写機においては、複数のルーバー部材２５０を揺動軸線方向と直交する方向に所定のピッチで配設し、互いに隣り合うルーバー部材２５０の端部同士を所定の揺動停止位置である第１揺動停止位置で重ね合わせるようにしている。かかる構成では、ルーバー部材２５０を１つだけしか設けない場合に比べて、より小さなルーバー部材２５０の動きで通気口２５０ａを開閉することができる。
【００９２】
また、第２変形例装置においては、複数のルーバー部材２５０として、それぞれ弾性材料からなるものを用いている。かかる構成では、ルーバー部材２５０の端部が重なり合う際に柔軟に変形して衝撃を和らげることで、衝突音を低減することができる。
【００９３】
また、第３変形例装置においては、複数のルーバー部材２５０として、隣のルーバー部材の端部に重なり合う箇所に緩衝部材が固定されたもの、を用いている。かかる構成では、ルーバー部材２５０の端部同士を、緩衝部材２５３を介して突き当たらせることで、衝撃音を低減することができる。
【００９４】
また、第４変形例装置においては、開閉手段として、通気口２０４ａに対向しつつ通気口２０４ａの周縁部に接触して通気口２０４ａを閉じる位置と、通気口２０４ａに対向しつつ通気口２０４ａの周縁部から離間して通気口２０４ａを開く位置とを往復移動するもの、を用いている。かかる構成では、アーム部材、ギヤ、タイミングベルト、Ｖベルト、プーリー、揺動ギヤなどといった複雑な駆動伝達機構を設けることなく、通気口２０４ａを開閉することができる。
【図面の簡単な説明】
【００９５】
【図１】第１実施形態に係る複写機を示す概略構成図。
【図２】同複写機の画像形成部を情報から示す平面図。
【図３】同複写機の画像形成部と副操作搬送部とを示す拡大構成図。
【図４】同複写機を示す分解斜視図。
【図５】同複写機を示す背面図。
【図６】同複写機の背面を示す部分斜視図。
【図７】同複写機の背面に設けられた通気口を拡大して示す拡大斜視図。
【図８】同複写機における複数のルーバー部材を示す拡大模式図。
【図９】通気口を閉じた状態の同ルーバー部材を示す拡大模式図。
【図１０】同複写機の電気回路の一部を示すブロック図。
【図１１】同複写機を正面側から示す斜視図。
【図１２】同複写機の筐体内の給紙カセットを上側から示す模式図。
【図１３】同複写機の第１変形例装置におけるルーバー部材を示す拡大側面図。
【図１４】同複写機の第２変形例装置におけるルーバー部材を示す拡大側面図。
【図１５】同複写機の第３変形例装置におけるルーバー部材を示す拡大側面図。
【図１６】同複写機の第４変形例装置における通気口を示す拡大断面図。
【図１７】第１実施例に係る複写機を示す斜視図。
【図１８】第２実施例に係る複写機を右側面側から示す部分斜視図。
【図１９】右がバー扉を開いた状態の同複写機を示す部分斜視図。
【図２０】第３実施例に係る複写機の上面を斜め上から示す部分斜視図。
【符号の説明】
【００９６】
２：画像形成部（画像形成手段の一部）
３：副走査搬送部（画像形成手段の一部）
５：記録紙（記録体）
１０：両面ユニット（反転再給紙手段）
２０２：左側板（筺体の一部）
２０３：背面板（筺体の一部）
２０４：背面着脱蓋（筺体の一部）
２０４ａ：通気口
２０５：電源装置（電源）
２５０：ルーバー部材（開閉手段、扁平開閉部材）
２５１：アーム（駆動手段の一部）
２５２：揺動ギヤ（駆動手段の一部）
２５４：シャッター部材（開閉手段）
２５５：ソレノイド（駆動手段の一部）
３００：制御部（制御手段）
３０６：ルーバー駆動モータ（駆動手段の一部）
【図１】
2008142974.tif 000003
【図２】
2008142974.tif 000004
【図３】
2008142974.tif 000005
【図４】
2008142974.tif 000006
【図５】
2008142974.tif 000007
【図６】
2008142974.tif 000008
【図７】
2008142974.tif 000009
【図８】
2008142974.tif 000010
【図９】
2008142974.tif 000011
【図１０】
2008142974.tif 000012
【図１１】
2008142974.tif 000013
【図１２】
2008142974.tif 000014
【図１３】
2008142974.tif 000015
【図１４】
2008142974.tif 000016
【図１５】
2008142974.tif 000017
【図１６】
2008142974.tif 000018
【図１７】
2008142974.tif 000019
【図１８】
2008142974.tif 000020
【図１９】
2008142974.tif 000021
【図２０】
2008142974.tif 000022